(57)【要約】【課題】ユーザの好みを反映した検索を可能とする。【解決手段】実施形態の電子機器の抽出部は、ユーザが第１時間に視聴中のコンテンツの第１部分に対応する複数のキーワードから、ユーザが視聴又は録画したコンテンツに対応する情報を用いて、ユーザに提示する複数の第１キーワードを抽出し、提示部は、複数の第１キーワードを選択可能にユーザに提示する。処理部は、ユーザにより選択された第１キーワードを用いて、選択された第１キーワードに関連する情報を検索するための処理を行う。【選択図】図２
2016012894.tif 000002
【特許請求の範囲】
【請求項１】
ユーザが第１時間に視聴中のコンテンツの第１部分に対応する複数のキーワードから、ユーザが視聴又は録画したコンテンツに対応する情報を用いて、ユーザに提示する複数の第１キーワードを抽出する抽出部と、
前記複数の第１キーワードを選択可能にユーザに提示する提示部と、
ユーザにより選択された第１キーワードを用いて、選択された第１キーワードに関連する情報を検索するための処理を行う処理部と、
を備えた電子機器。
【請求項２】
前記抽出部は、ユーザの手動の操作により録画予約又は録画されたコンテンツに対応する情報に基づいて前記複数の第１キーワードを抽出する、
請求項１記載の電子機器。
【請求項３】
前記ユーザが視聴中のコンテンツの部分に対応する複数のキーワードは、当該コンテンツの部分に含まれる字幕情報から抽出されるキーワードである、
請求項１または請求項２記載の電子機器。
【請求項４】
前記処理部は、選択された第１キーワードを用いて、それぞれ複数のシーンを含む複数のコンテンツから、選択された第１キーワードに関連するシーンを検索するための処理を行う、
請求項１乃至請求項３のいずれかに記載の電子機器。
【請求項５】
前記抽出部は、ユーザが前記第１時間とは異なる第２時間に視聴中のコンテンツの第２部分に対応する複数のキーワードから、ユーザが視聴又は録画したコンテンツに対応する情報を用いて、ユーザに提示する複数の第２キーワードを抽出し、
前記提示部は、前記複数の第１キーワードと、前記複数の第２キーワードとを、同時に表示する、
請求項１乃至請求項４のいずれかに記載の電子機器。
【請求項６】
前記提示部は、各種情報を表示するディスプレイと、
前記選択対象キーワードを前記ディスプレイの表示画面に複数表示させる表示制御部と、
を備えた請求項１乃至請求項５のいずれかに記載の電子機器。
【請求項７】
ユーザが第１時間に視聴中のコンテンツの第１部分に対応する複数のキーワードから、ユーザが視聴又は録画したコンテンツに対応する情報を用いて、ユーザに提示する複数の第１キーワードを抽出する抽出過程と、
前記複数の第１キーワードを選択可能にユーザに提示する提示過程と、
ユーザにより選択された第１キーワードを用いて、選択された第１キーワードに関連する情報を検索するための処理を行う処理過程と、
を備えた電子機器の制御方法。
【請求項８】
前記抽出過程において、ユーザの手動の操作により録画予約又は録画されたコンテンツに対応する情報に基づいて前記複数の第１キーワードを抽出する、
請求項７記載の電子機器の制御方法。
【請求項９】
前記ユーザが視聴中のコンテンツの部分に対応する複数のキーワードは、当該コンテンツの部分に含まれる字幕情報から抽出されるキーワードである、
請求項７または請求項８記載の電子機器の制御方法。
【請求項１０】
前記処理過程において、選択された第１キーワードを用いて、それぞれ複数のシーンを含む複数のコンテンツから、選択された第１キーワードに関連するシーンを検索するための処理を行う、
請求項７乃至請求項９のいずれかに記載の電子機器の制御方法。
【請求項１１】
前記抽出過程において、ユーザが前記第１時間とは異なる第２時間に視聴中のコンテンツの第２部分に対応する複数のキーワードから、ユーザが視聴又は録画したコンテンツに対応する情報を用いて、ユーザに提示する複数の第２キーワードを抽出し、
前記提示過程において、前記複数の第１キーワードと、前記複数の第２キーワードとを、同時に表示する、
請求項７乃至請求項１０のいずれかに記載の電子機器の制御方法。
【請求項１２】
電子機器をコンピュータにより制御するための制御プログラムであって、
前記コンピュータを、
ユーザが第１時間に視聴中のコンテンツの第１部分に対応する複数のキーワードから、ユーザが視聴又は録画したコンテンツに対応する情報を用いて、ユーザに提示する複数の第１キーワードを抽出する手段と、
前記複数の第１キーワードを選択可能にユーザに提示する手段と、
ユーザにより選択された第１キーワードを用いて、選択された第１キーワードに関連する情報を検索するための処理を行う手段と、
して機能させる制御プログラム。
【請求項１３】
前記第１キーワードを抽出する手段は、ユーザの手動の操作により録画予約又は録画されたコンテンツに対応する情報に基づいて前記複数の第１キーワードを抽出する、
請求項１２記載の制御プログラム。
【請求項１４】
前記ユーザが視聴中のコンテンツの部分に対応する複数のキーワードは、当該コンテンツの部分に含まれる字幕情報から抽出されるキーワードである、
請求項１２または請求項１３記載の制御プログラム。
【請求項１５】
前記処理を行う手段は、選択された第１キーワードを用いて、それぞれ複数のシーンを含む複数のコンテンツから、選択された第１キーワードに関連するシーンを検索するための処理を行う、
請求項１２乃至請求項１４のいずれかに記載の制御プログラム。
【請求項１６】
前記抽出部は、ユーザが前記第１時間とは異なる第２時間に視聴中のコンテンツの第２部分に対応する複数のキーワードから、ユーザが視聴又は録画したコンテンツに対応する情報を用いて、ユーザに提示する複数の第２キーワードを抽出し、
前記提示部は、前記複数の第１キーワードと、前記複数の第２キーワードとを、同時に表示する、
請求項１２乃至請求項１５のいずれかに記載の制御プログラム。
【発明の詳細な説明】
【技術分野】
【０００１】
本発明の実施形態は、電子機器、電子機器の制御方法及び制御プログラムに関する。
【背景技術】
【０００２】
近年、放送の多チャンネル化が進み、ユーザの番組視聴の選択肢が拡がっている。
一方、ユーザが指定したチャンネルや時間帯に含まれる全番組を自動的に録画する機能を搭載した、映像情報記録再生装置等の電子機器が知られている。
【先行技術文献】
【特許文献】
【０００３】
【特許文献１】特開２００９−１１８１６８号公報
【特許文献２】特開２００９−７１６２３号公報
【特許文献３】特開２００９−３８５０２号公報
【発明の概要】
【発明が解決しようとする課題】
【０００４】
上述した電子機器においては、多数の番組が録画されることとなるため、ユーザが自己の好みに応じた番組あるいは番組に含まれるシーンを探す必要が生じることとなるが、必ずしもユーザの好みを反映した番組あるいはシーンを検索できるとは限らなかった。
【０００５】
本実施形態は、上記に鑑みてなされたものであって、ユーザの好みを反映した検索が可能な電子機器、電子機器の制御方法及び制御プログラムを提供することを目的としている。
【課題を解決するための手段】
【０００６】
実施形態の電子機器の抽出部は、ユーザが第１時間に視聴中のコンテンツの第１部分に対応する複数のキーワードから、ユーザが視聴又は録画したコンテンツに対応する情報を用いて、ユーザに提示する複数の第１キーワードを抽出する。
提示部は、複数の第１キーワードを選択可能にユーザに提示する。
そして、処理部は、ユーザにより選択された第１キーワードを用いて、選択された第１キーワードに関連する情報を検索するための処理を行う。
【図面の簡単な説明】
【０００７】
【図１】図１は、映像情報記録再生装置の概要構成を示すブロック図である。
【図２】図２は、自動録画機能及びシーン検索機能に関わる機能構成を表すブロック図である。
【図３】図３は、キーワードリストの表示例の説明図である。
【図４】図４は、シーンリストの表示例の説明図である。
【図５】図５は、字幕キーワードＤＢのデータフォーマットの説明図である。
【図６】図６は、ＥＰＧキーワードＤＢのデータフォーマットの説明図である。
【図７】図７は、キーワード選択履歴ＤＢのデータフォーマットの説明図である。
【図８】図８は、実施形態の動作フローチャートである。
【図９】図９は、キーワード抽出処理部のキーワード抽出処理の処理フローチャートである。
【図１０】図１０は、キーワード選択時処理の処理フローチャートである。
【図１１】図１１は、コンテンツ推薦機能及び自動録画機能を実現するための前処理の処理フローチャートである。
【発明を実施するための形態】
【０００８】
次に図面を参照して、実施形態について詳細に説明する。
本実施形態においては、電子機器の一例として、放送番組を録画及び再生可能な映像情報記録再生装置を説明する。
【０００９】
図１は、映像情報記録再生装置の概要構成を示すブロック図である。
映像情報記録再生装置Ｘは、ハードディスクドライブ１と、メディアドライブ２と、データプロセッサ３と、メモリ４と、ＡＶ（Audio  Video）入力部５と、ＴＶチューナ６と、エンコーダ７と、フォーマッタ８と、デコーダ９と、Ｖ（Video）ミキサ１０と、セレクタ１１と、Ｄ／Ａ（Digital/Analog）コンバータ１２と、Ｄ／Ａコンバータ１３と、ディスプレイ１４と、スピーカ１５と、信号受信部１６と、キー入力部１７と、マイクロコンピュータ１８と、リモートコントロール装置（リモコン）１９と、を備えている。
【００１０】
ハードディスクドライブ１は、放送番組等のコンテンツに対応するコンテンツデータのハードディスクに対する書込／読出を行う。
メディアドライブ２は、放送番組等のコンテンツに対応するコンテンツデータの光ディスクメディアに対する書込／読出を行う。ここで、光ディスクメディアとしては、例えば、ＤＶＤ規格或いはＢｌｕ−ｒａｙ（登録商標）規格等に準拠したものが挙げられる。
【００１１】
データプロセッサ３は、メモリ４が記憶するコンピュータプログラムに従って各種の処理を実行する。データプロセッサ３は、メモリ４をコンピュータプログラムの実行に必要なワークエリアとして使用することもある。
【００１２】
例えば、データプロセッサ３は、後述するフォーマッタ８から供給されたデータをハードディスクドライブ１又はメディアドライブ２に供給し、当該データをハードディスク又は光ディスクメディアに保存することができる。また、データプロセッサ３は、例えば、ハードディスクドライブ１に保存されたデータ、或いはメディアドライブ２が光ディスクメディアから読み取るデータを後述するデコーダ９に供給する。
メモリ４は、コンピュータプログラムを不揮発的に記憶するＲＯＭ（Read  Only  Memory）、各種データを一時的に記憶するＲＡＭ（Random  Access  Memory）を備えている。
【００１３】
ＡＶ入力部５は、ディジタルのビデオ信号及びオーディオ信号の入力インタフェース動作を行い、例えば、外部接続機器から入力されるディジタルのビデオ信号及びオーディオ信号をエンコーダ７に供給する。
【００１４】
ＴＶチューナ６は、図示しない外部のアンテナから供給されるディジタル放送信号ストリームをチューニング（選局）し、チューニングしたディジタル放送信号ストリームをエンコーダ７に供給する。ここで、ＴＶチューナ６は、複数チャンネルの放送を同時にチューニング可能なようにアンテナを共用した複数の図示しないチューニング系統（チューニング回路）を備えているものとする。
【００１５】
また、ディジタル放送信号ストリームは、ビデオ信号、オーディオ信号、字幕信号、及び、ＥＰＧ（Electronic  Program  Guide）信号等を含んでいる。ディジタル放送信号ストリームに含まれる字幕信号は、映像上への表示のオン／オフを切り替え可能な、いわゆる、クローズドキャプションに対応する信号である。
また、ＥＰＧ信号は、電子番組情報に対応するものであり、電子番組情報としては、番組ごとに固有の番組ＩＤ、番組のタイトル、番組の放送日時、番組の放送局、番組の概要、番組のジャンル、番組の出演者、及び、番組記号等を表すデータを含む。ここで、番組記号は、新番組、最終回、生放送、再放送、或いは字幕放送等の番組の属性を表す。
【００１６】
エンコーダ７は、例えばＡＶ入力部５及びＴＶチューナ６から入力されるビデオ信号をＭＰＥＧ１（Moving  Picture  Experts  Group  1）或いはＭＰＥＧ２（Moving  Picture  Experts  Group  2）等の規格に従って圧縮されたディジタルのビデオ信号に変換し、フォーマッタ８に供給する。
また、エンコーダ７は、例えば、ＡＶ入力部５及びＴＶチューナ６から入力されるオーディオ信号をＭＰＥＧ或いはＡＣ−３（Audio  Compression-3）等の規格に従って圧縮されたディジタルのオーディオ信号に変換し、フォーマッタ８に供給する。
【００１７】
また、エンコーダ７は、ＴＶチューナ６から入力されるディジタル放送信号ストリームに含まれる字幕信号及びＥＰＧ信号をデータプロセッサ３に供給する。
なお、エンコーダ７は、圧縮されたディジタルのビデオ信号及びオーディオ信号が入力されるときは、これらのビデオ信号及びオーディオ信号を直接フォーマッタ８に供給してもよい。また、エンコーダ７は、ディジタルのビデオ信号及びオーディオ信号をそれぞれ後述するビデオ（Ｖ）ミキサ１０及びセレクタ１１に直接供給することも可能である。
【００１８】
フォーマッタ８は、エンコーダ７から供給されるディジタルのビデオ信号、オーディオ信号及び字幕信号についてＰＥＳ（Packetized  Elementary  Stream）を生成する。さらに、フォーマッタ８は、生成した各信号のＰＥＳを集合して所定のＶＲ（Video-Recording）規格のフォーマットに変換する。フォーマッタ８は、この変換により生成したデータをデータプロセッサ３に供給する。
【００１９】
デコーダ９は、データプロセッサ３から供給されるデータから映像、音声及び字幕に関するＰＥＳを取り出し、取り出した各ＰＥＳをそれぞれビデオ信号、オーディオ信号及び字幕信号にデコードする。デコーダ９は、デコード後のビデオ信号及び字幕信号をＶミキサ１０に出力し、デコード後のオーディオ信号をセレクタ１１に出力する。
【００２０】
Ｖミキサ１０は、デコーダ９等から供給されるビデオ信号に対して、字幕信号等のテキスト信号を合成する。Ｖミキサ１０は、デコーダ９等から供給されるビデオ信号にＯＳＤ（On  Screen  Display）制御による画面のビデオ信号を合成する。Ｖミキサ１０は、合成後のビデオ信号をＤ／Ａコンバータ１２に出力する。
【００２１】
セレクタ１１は、デコーダ９から入力されるオーディオ信号やエンコーダ７から直接入力されるオーディオ信号から、音声として出力すべき信号を選択し、選択した信号を後述のＤ／Ａコンバータ１３に出力する。
【００２２】
Ｄ／Ａコンバータ１２は、Ｖミキサ１０から入力されるディジタルのビデオ信号をアナログに変換し、テレビ装置等のディスプレイ１４に出力する。ディスプレイ１４は、入力されたビデオ信号に基づく画像を表示する。
【００２３】
Ｄ／Ａコンバータ１３は、セレクタ１１から入力されるディジタルのオーディオ信号をアナログに変換し、スピーカ１５に出力する。スピーカ１５は、入力されたオーディオ信号に応じた音声を出力する。
【００２４】
信号受信部１６は、後述のリモートコントロール装置１９から無線送信される操作信号を受信し、コントロール信号を後述のマイクロコンピュータ１８に出力する。
【００２５】
キー入力部１７は、番組の録画や再生等に関わる各種の指示を入力するための複数のキーを備える。キー入力部１７は、操作されたキーに応じた信号を後述のマイクロコンピュータ１８に出力する。
マイクロコンピュータ１８は、コンピュータプログラム等が書き込まれたＲＯＭと、ＲＯＭに書き込まれたコンピュータプログラムを実行するＭＰＵ（Micro-Processing  Unit）と、コンピュータプログラムの実行に必要なワークエリアを提供するＲＡＭとを備える。マイクロコンピュータ１８は、キー入力部１７から入力される信号や信号受信部１６により出力されたコントロール信号に応じて、ハードディスクドライブ１、メディアドライブ２、データプロセッサ３、エンコーダ７、フォーマッタ８、デコーダ９、Ｖミキサ１０、及び、セレクタ１１等を制御する。
リモートコントロール装置１９は、番組の録画や再生等に関わる各種のボタンを備え、ユーザにより操作されたボタンに対応する信号を信号受信部１６に対して無線送信する。
【００２６】
次に実施形態の映像情報記録再生装置Ｘの動作を説明するのに先だって、映像情報記録再生装置Ｘの機能構成について説明する。
【００２７】
映像情報記録再生装置Ｘは、ユーザが予め指定したチャンネルや時間帯において放送される全ての番組を自動的に録画する自動録画機能を備えている。ここで、時間帯については指定すること無く、ハードディスクドライブ１における予め指定した記録容量範囲内で、連続して（たとえば、２４時間以上）の記録を行うように構成することも可能である。この場合においては、ハードディスクドライブ１において指定された記録容量を超えた場合には、ハードディスクドライブ１の番組記録領域をリングバッファのように用い、最も古い記録領域に最新の上書記録を行うようにして現在時刻から所定時間さかのぼって最新の番組を記録し続けるように構成することもできる。
【００２８】
さらに、映像情報記録再生装置Ｘは、予め抽出したキーワードをディスプレイ１４に提示し、提示したキーワードのうちからユーザが選択したキーワードに対応するシーンを録画した番組から検索するシーン検索機能を備えている。
【００２９】
図２は、自動録画機能及びシーン検索機能に関わる機能構成を表すブロック図である。
映像情報記録再生装置Ｘの機能構成としては、コンテンツ処理部１００と、字幕処理部１０１と、ＥＰＧ処理部１０２と、放送波処理部１０３と、コンテンツ再生部１０４と、キーワード抽出処理部１０５と、キーワードリスト処理部１０６と、シーンリスト処理部１０７と、ＯＳＤ制御部１０８と、コンテンツＤＢ（Data  Base）１１０と、字幕ＤＢ１１１と、字幕キーワードＤＢ１１２と、ＥＰＧ  ＤＢ１１３と、ＥＰＧキーワードＤＢ１１４と、キーワード選択履歴ＤＢ１１５と、ユーザ録画ＤＢ１１６と、キーワードＤＢ１１７と、を備える。
【００３０】
コンテンツ処理部１００、字幕処理部１０１、ＥＰＧ処理部１０２、放送波処理部１０３、コンテンツ再生部１０４、キーワード抽出処理部１０５、キーワードリスト処理部１０６、シーンリスト処理部１０７及びＯＳＤ制御部１０８は、例えばデータプロセッサ３或いはマイクロコンピュータ１８等の制御要素がコンピュータプログラムを実行し、映像情報記録再生装置Ｘが備えるハードウェアモジュールと協働することにより実現される。
コンテンツＤＢ１１０、字幕ＤＢ１１１、字幕キーワードＤＢ１１２、ＥＰＧ  ＤＢ１１３、ＥＰＧキーワードＤＢ１１４、キーワード選択履歴ＤＢ１１５、ユーザ録画ＤＢ１１６及びキーワードＤＢ１１７は、ハードディスクドライブ１に記憶されている。
【００３１】
コンテンツ処理部１００は、例えばユーザが予め指定した時間帯において、ユーザが予め指定したチャンネルのディジタル放送信号ストリームに含まれるビデオ信号及びオーディオ信号に対応するコンテンツデータをコンテンツＤＢ１１０に保存する。ここで、コンテンツデータは、例えばフォーマッタ８において上述のＶＲ規格のフォーマットに変換されたデータである。
【００３２】
字幕処理部１０１は、例えばユーザが予め指定した時間帯において、ユーザが予め指定したチャンネルのディジタル放送信号ストリームに含まれる字幕信号に対応する字幕データを字幕ＤＢ１１１に保存する。字幕データは、例えばフォーマッタ８において上述のＶＲ規格のフォーマットに変換されたデータであり、字幕の表示対象である番組の番組ＩＤと、字幕の文字列を表す文字列情報と、字幕の表示時刻を表す表示時刻情報とを含む。表示時刻情報は、字幕の表示開始時刻と表示終了時刻とを含む。表示開始時刻及び表示終了時刻は、例えば世界協定時(UTC)や日本標準時(JST)などの表記、又は、番組の先頭からの再生経過時間を用いて表現することができる。
【００３３】
また、字幕処理部１０１は、字幕ＤＢ１１１に保存する字幕データに含まれる字幕文字列から字幕キーワードを抽出し、抽出した字幕キーワードと字幕データとを対応づけて字幕キーワードＤＢ１１２に保存する。
【００３４】
ＥＰＧ処理部１０２は、ユーザ録画ＤＢ１１６に記録されているユーザが手動により録画を指示した番組の情報である手動録画データに基づいて、当該手動録画データに対応するチャンネルのディジタル放送信号ストリームに含まれるＥＰＧ信号に対応するＥＰＧデータをＥＰＧ  ＤＢ１１３に保存する。ＥＰＧデータは、上述の電子番組情報を表す。
【００３５】
また、ＥＰＧ処理部１０２は、ＥＰＧ  ＤＢ１１３に保存したユーザが手動により録画を指示した番組に対応するＥＰＧデータが表す文字列からシーン検索に用いるキーワードであるＥＰＧキーワードを抽出し、抽出したＥＰＧキーワードとＥＰＧデータとを対応づけてＥＰＧキーワードＤＢ１１４に保存する。
【００３６】
放送波処理部１０３は、ユーザがリモートコントロール装置１９の操作等により選局したチャンネルに対応するディジタル放送信号ストリームからビデオ信号及びオーディオ信号を取り込み、取り込んだビデオ信号に応じた映像をディスプレイ１４に表示させる。放送波処理部１０３は、映像のディスプレイ１４への表示とともに、取り込んだオーディオ信号に応じた音声をスピーカ１５に出力させる。また、放送波処理部１０３は、ユーザがリモートコントロール装置１９の操作等により字幕表示をオンにした場合には、ディジタル放送信号ストリームに含まれる字幕信号に応じた字幕をディスプレイ１４に表示させる。
【００３７】
コンテンツ再生部１０４は、コンテンツＤＢ１１０に保存されたコンテンツデータ、すなわち、録画番組を再生する。より詳細には、コンテンツ再生部１０４は、コンテンツＤＢ１１０に保存されたコンテンツデータに対応する映像をディスプレイ１４に表示させるとともに、当該コンテンツデータに対応する音声をスピーカ１５に出力させる。コンテンツ再生部１０４は、字幕表示が指示されている場合には、コンテンツＤＢ１１０に保存されたコンテンツデータの再生と同期させて、字幕ＤＢ１１１に保存された字幕データに対応する字幕をディスプレイ１４に表示させる。
【００３８】
キーワード抽出処理部１０５は、字幕キーワードＤＢ１１２、ＥＰＧキーワードＤＢ１１４及びキーワード選択履歴ＤＢ１１５を参照して後に詳述するシーン検索処理においてディスプレイ１４に表示すべきキーワードリスト１５０に表示する所定数の検索キーワードを抽出して、キーワードＤＢ１１７に格納する。ここで、所定数としては、例えば、ディスプレイ１４の画面に１回に表示する検索キーワード数を４個とした場合、４回（４画面）に分けて表示するとして、４（個）×４（回）＝１６個とする。
【００３９】
また、キーワード抽出処理部１０５は、所定の処理手順に従ってキーワードＤＢ１１７に格納した検索キーワードの表示優先順位を決定し、表示優先順位の高い検索キーワードをキーワードリスト処理部１０６に通知する。
【００４０】
また、キーワード抽出処理部１０５は、シーン検索処理において、ユーザがディスプレイ１４に表示したキーワードリスト１５０からシーン検索対象の検索キーワードを選択した場合に、当該選択された検索キーワードに基づいて、キーワード選択履歴ＤＢ１１５を更新する。
【００４１】
ここで、表示優先順位の設定の一例について説明する。
表示優先順位の基本的考え方としては、ユーザが過去に選択したキーワードは、ユーザの嗜好性に沿ったものであるとして、優先的に取り扱う。
【００４２】
また放送中の番組の視聴中又は録画した番組の再生中において、当該番組の場面のキーワードは、ユーザが現在見ているシーンの話題に関連するキーワードと考えられるため優先的に取り扱う。
例えば、表示優先順位として、第１位〜第６位まで以下の（１）〜（６）のように設定する。
【００４３】
（１）表示優先順位第１位
放送中の番組の視聴中又は録画した番組の再生視聴中において、視聴時点の時刻（第１時間に相当）あるいは再生時間軸上の再生位置に対応する時刻である基準時刻に対応する所定の時間帯において字幕データから抽出したキーワードであって、キーワード選択履歴ＤＢに含まれるキーワードと一致するキーワード
【００４４】
ここで基準時刻に対応する所定の時間帯とは、例えば、以下の（Ａ）〜（Ｃ）に示すようなものが考えられる。
（Ａ)録画した番組の再生中にあっては、基準時刻に対して基準時刻を含む前後の時間帯（例えば、基準時刻に対して３分前の時刻から３分後の時刻まで）
（Ｂ)基準時刻に対して基準時刻を含む前の時間帯（例えば、基準時刻の３分前から基準時刻まで）
（Ｃ）基準時刻よりも前の時間帯（例えば、基準時刻の３分前の時刻から基準時刻の１分前の時刻まで）
【００４５】
（２）表示優先順位第２位
放送中の番組の視聴中又は録画した番組のＥＰＧ情報から抽出したキーワードであって、キーワード選択履歴ＤＢに含まれるキーワードと一致するキーワード
【００４６】
（３）表示優先順位第３位
放送中の番組の視聴中又は録画した番組の再生視聴中において、視聴時点の時刻あるいは再生時間軸上の再生位置に対応する時刻である基準時刻に対応する所定の時間帯において字幕データから抽出したキーワードであって、ＥＰＧ  ＤＢに含まれるキーワードと一致するキーワード
（４）表示優先順位第４位
放送中の番組の視聴中又は録画した番組のＥＰＧ情報から抽出したキーワードであって、ＥＰＧ  ＤＢに含まれるキーワードと一致するキーワード
（５）表示優先順位第５位
放送中の番組の視聴中又は録画した番組の再生視聴中において、視聴時点の時刻あるいは再生時間軸上の再生位置に対応する時刻である基準時刻に対応する所定の時間帯において字幕データから抽出したキーワードであって、上記（１）、（３）に該当するキーワード以外のキーワード
（６）表示優先順位第６位
放送中の番組の視聴中又は録画した番組のＥＰＧ情報から抽出したキーワードであって、上記（２）、（４）に該当するキーワード以外のキーワード
これらの結果、よりユーザの嗜好が反映されたキーワードの表示優先順位を高く設定することができる。ひいては、ユーザの嗜好をより的確に反映したキーワードを提示することができる。
【００４７】
キーワードリスト処理部１０６は、キーワード抽出処理部１０５により通知された表示優先順位の高い検索キーワード（上述の例の場合、１６個の検索キーワード）のうち、ディスプレイ１４の画面に１回に表示する検索キーワード（上述の例の場合、４個の検索キーワード）が選択可能に配置されたキーワード画像であるキーワードリスト１５０を生成する。
【００４８】
ここでキーワードリスト１５０の表示例について説明する。
図３は、キーワードリストの表示例の説明図である。
この場合において、検索キーワードとして、検索キーワードＫＷ１〜ＫＷ１６の１６個が抽出され、キーワード抽出処理部１０５からキーワードリスト処理部１０６に通知されたものとする。また、検索キーワードＫＷ１が最も表示優先度が高く、検索キーワードＫＷ２→…→検索キーワードＫＷ１６の順番で表示優先度が低くなっており、検索キーワードＫＷ１６が最も表示優先度が低くなっているものとする。
【００４９】
図３に示すように、ディスプレイ１４の表示画面には、再生画面あるいは視聴画面が表示されており、その一部に最も表示優先度が高い検索キーワードＫＷ１〜ＫＷ４がキーワードリスト１５０として表示されている。
【００５０】
これにより、リモートコントロール装置１９によりいずれかの検索キーワードが選択可能とされている。なお、リモートコントロール装置１９の操作により、次のキーワードリストの表示が指示された場合には、次に表示優先度が高い検索キーワードＫＷ５〜ＫＷ８が新たなキーワードリスト１５０として表示される。
【００５１】
なお、検索キーワードＫＷ１３〜ＫＷ１６がキーワードリスト１５０として表示されている場合には、次のキーワードリストの表示が指示された場合には、再び最も表示優先度が高い検索キーワードＫＷ１〜ＫＷ４がキーワードリスト１５０として表示される。
【００５２】
シーンリスト処理部１０７は、キーワードリスト１５０から選択されたキーワードを字幕に含むシーンを録画番組から抽出し、抽出したシーンを選択可能に表すシーン画像の画像データを生成する。本実施形態におけるシーン画像は、例えばシーンに関する情報を予め定められた条件に従って配列したシーンリスト１５１である。
【００５３】
図４は、シーンリストの表示例の説明図である。
シーンリスト１５１は、複数のシーンエリア（＝一つのシーンであると認識される領域）を表示可能であり、図４においては、５つのシーンエリアＡ１〜Ａ５を示している。
各シーンエリアＡ１〜Ａ５は、字幕キーワードレコードに含まれる番組ＩＤに対応する録画番組のタイトルと、当該番組の放送局と、当該番組の放送日時とを含む。シーンリスト処理部１０７は、シーンリスト１５１の画像データを生成するに当たり、例えば番組ＩＤをキーとしてＥＰＧ  ＤＢ１１３を検索することによって、これらタイトル、放送局及び放送日時を得る。
より具体的には、シーンエリアＡ１を例とすると、シーンエリアＡ１には録画番組のタイトル＝「番組Ａ」、放送局＝「地デジ０８１」、放送日時＝「１０／６（土）  ＰＭ３：００〜ＰＭ４：５４」が表示されている。
【００５４】
また、各シーンエリアＡ１〜Ａ５は、対応するシーンを代表するサムネイルＴ１〜Ｔ５を含む。例えば、サムネイルＴ１〜Ｔ５は、字幕キーワードＤＢ１１２を構成しているデータに含まれる表示時刻情報における録画番組の画像が表示される。ここで、シーンリスト処理部１０７は、シーンリスト１５１のサムネイルＴ１〜Ｔ５を生成するに当たり、例えば番組ＩＤをキーとしてコンテンツＤＢ１１０から録画番組を検索し、発見した録画番組において上記表示時刻情報の表示開始時刻に対応する画像を縮小することにより生成する。
【００５５】
図４においては、シーンリスト１５１を１ページしか示していないが、それぞれ異なるシーンエリアを含む複数のページによって構成することも可能である。この場合、例えばリモートコントロール装置１９の操作によってページの切り替えが指示されたことに応じて、ＯＳＤ制御部１０８がシーンリスト１５１に配置するシーンエリアを次ページあるいは前ページに切り替える。
【００５６】
そして、ユーザは、例えば、リモートコントロール装置１９の操作によってシーンリスト１５１から所望のシーンエリアを選択することができる。
【００５７】
ＯＳＤ制御部１０８は、キーワードリスト処理部１０６が生成した画像データに応じたキーワードリスト１５０、及び、シーンリスト処理部１０７が生成した画像データに応じたシーンリスト１５１を、ディスプレイ１４に表示中の映像上に表示する。
【００５８】
次に字幕キーワードＤＢ１１２、ＥＰＧキーワードＤＢ１１４及びキーワード選択履歴ＤＢ１１５の構成について説明する。
まず、字幕キーワードＤＢ１１２のデータフォーマットについて説明する。
図５は、字幕キーワードＤＢのデータフォーマットの説明図である。
字幕キーワードＤＢ１１２は、コンテンツとしての放送番組を特定する番組ＩＤが格納された番組ＩＤデータ１１２Ａと、字幕キーワードを格納したキーワードデータ１１２Ｂと、当該字幕キーワードが表示される時刻に関する情報を格納した表示時刻情報データ１１２Ｃと、を備えている。
【００５９】
次にＥＰＧキーワードＤＢ１１４のデータフォーマットについて説明する。
図６は、ＥＰＧキーワードＤＢのデータフォーマットの説明図である。
ＥＰＧキーワードＤＢ１１４は、コンテンツとしての放送番組を特定する番組ＩＤが格納された番組ＩＤデータ１１４Ａと、ＥＰＧキーワードを格納したキーワードデータ１１４Ｂと、を備えている。
【００６０】
次にキーワード選択履歴ＤＢ１１５のデータフォーマットについて説明する。
図７は、キーワード選択履歴ＤＢのデータフォーマットの説明図である。
キーワード選択履歴ＤＢ１１５は、キーワードリスト１５０に表示されたキーワードのうち、ユーザにより一度でも選択されたことがあるキーワードが格納されたキーワードデータ１１５Ａと、キーワードデータに対応するキーワードの選択回数が格納された選択回数データ１１５Ｂと、キーワードデータ１１５Ａに対応するキーワードが最終的に選択された日付及び時刻である最終選択時刻が格納された最終選択時刻データ１１５Ｃと、を備えている。
図７の例の場合においては、「キーワード１」については、選択回数が「１２回」であり、最終選択時刻が「１２月２４日の２０：００」となっている。
【００６１】
次に実施形態の映像情報記録再生装置Ｘの動作を説明する。
初期状態において、既にユーザが手動により録画を指示した番組があり、当該番組に対応するＥＰＧデータが取得可能な状態となっているものとする。
図８は、実施形態の動作フローチャートである。
ユーザが放送中の番組の視聴中又は録画した番組を再生中において、シーン検索を指示するシーン検索ボタンを押したか否かを判別する（ステップＳ１１）。
ステップＳ１１の判別において、シーン検索ボタンが押されていない場合には（ステップＳ１１；Ｎｏ）、処理を終了する。
ステップＳ１１の判別において、シーン検索ボタンが押された場合には（ステップＳ１１；Ｙｅｓ）、キーワード抽出処理部１０５は、キーワードリスト１５０として表示させる所定数の検索キーワードの抽出処理を行ってキーワードリスト処理部１０６に通知する（ステップＳ１２）。
【００６２】
図９は、キーワード抽出処理部のキーワード抽出処理の処理フローチャートである。
まず、キーワード抽出処理部１０５は、キーワード選択履歴ＤＢ１１５からユーザが過去に選択したキーワードを取得する（ステップＳ２１）。
次にキーワード抽出処理部１０５は、ＥＰＧキーワードＤＢ１１４からユーザが手動により録画を指示した番組に対応するＥＰＧキーワードを取得する（ステップＳ２２）。
【００６３】
続いて、キーワード抽出処理部１０５は、字幕キーワードＤＢ１１２から放送中の番組又は録画して再生中の番組の字幕キーワードを取得する（ステップＳ２３）。
そしてキーワード抽出処理部１０５は、ステップＳ２１〜ステップＳ２３の処理において取得した全キーワードに基づいて、上述したように表示優先度を決定し、所定の処理手順に従ってキーワードＤＢ１１７に格納した検索キーワードの表示優先順位を決定し、表示優先順位の高い検索キーワードを抽出してキーワードリスト処理部１０６に通知する（ステップＳ２４）。
【００６４】
キーワードリスト処理部１０６は、キーワード抽出処理部１０５により通知されたキーワードを配置したキーワードリスト１５０の画像データを生成し、生成した画像データに基づくキーワードリスト１５０の表示をＯＳＤ制御部１０８に指令する。ＯＳＤ制御部１０８は、キーワードリスト処理部１０６が生成した画像データに基づくキーワードリスト１５０を、ディスプレイ１４に表示中の映像上に表示する（ステップＳ１３）。
さらにキーワードリスト処理部１０６は、ユーザによりリモートコントロール装置１９において所定のキーワード選択ボタンが押されたか否かを判別する（ステップＳ１４）。
ステップＳ１４の判別において、キーワード選択ボタンが押されていない場合には（ステップＳ１４；Ｎｏ）、待機状態となる。
ステップＳ１４の判別において、キーワード選択ボタンが押された場合には（ステップＳ１４；Ｙｅｓ）、キーワード選択時処理に移行する（ステップＳ１５）。
【００６５】
図１０は、キーワード選択時処理の処理フローチャートである。
まず、キーワード抽出処理部１０５は、キーワード選択履歴ＤＢ１１５を参照する（ステップＳ３１）。
続いて押されたキーワード選択ボタンに対応するキーワードがキーワード選択履歴ＤＢ１１５に登録済みのキーワードであるか否かを判別する（ステップＳ３２）。
ステップＳ３２の判別において、キーワード選択ボタンに対応するキーワードがキーワード選択履歴ＤＢ１１５に登録済みのキーワードである場合には（ステップＳ３２；Ｙｅｓ）、処理をステップＳ３４に移行する。
ステップＳ３２の判別において、キーワード選択ボタンに対応するキーワードがキーワード選択履歴ＤＢ１１５に登録済みではないキーワードである場合には（ステップＳ３２；Ｎｏ）、選択されたキーワードをキーワード選択履歴ＤＢ１１５に追加して登録する（ステップＳ３３）。
続いて選択されたキーワードの選択回数データに１を加算する（ステップＳ３４）。従って初回登録の場合には、選択回数データ＝１となり、２回目以降の場合には、選択回数データ＝前回までの選択回数＋１となる。
そして、キーワードリスト処理部１０６は、最終選択時刻データ１１５Ｃに対応する時刻を現在時刻に更新し（ステップＳ３５）、シーンリスト処理部１０７に当該選択されたキーワードを通知する。
【００６６】
キーワードの通知を受けたことに応じて、シーンリスト処理部１０７は、当該キーワードを字幕に含むシーンを録画番組から抽出し、録画番組のシーンを選択可能に表すシーンリスト１５１の画像データを生成し、生成した画像データに基づくシーンリスト１５１の表示をＯＳＤ制御部１０８に指令する。この指令を受けたことに応じて、ＯＳＤ制御部１０８は、シーンリスト処理部１０７が生成した画像データに基づくシーンリスト１５１を、ディスプレイ１４に表示中の映像上に表示する（ステップＳ１６）。
【００６７】
シーンリスト１５１をディスプレイ１４に表示させた状態で、シーンリスト処理部１０７は、図４に示したシーンリスト１５１において、いずれかのシーンエリアの選択を行うシーン選択ボタンがリモートコントロール装置１９において押されたか否かを判別する（ステップＳ１７）。
ステップＳ１７の判別において、いずれのシーン選択ボタンも押されていない場合には（ステップＳ１７；Ｎｏ）、待機状態となる。
ステップＳ１７の判別において、いずれかのシーン選択ボタンが押された場合には（ステップＳ１７；Ｙｅｓ）、シーンリスト処理部１０７は、当該選択されたシーンエリアに対応する録画番組の番組ＩＤと、当該シーンの時刻情報とをコンテンツ再生部１０４に通知する。ここでの時刻情報は、録画番組の先頭からの再生経過時間であり、例えば選択されたシーンエリアＡに対応する字幕キーワードレコードに含まれる表示時刻情報の表示開始時刻とすることができる。
【００６８】
コンテンツ再生部１０４は、番組ＩＤ及び時刻情報の通知を受けると、録画番組の再生開始位置をサーチするシーンサーチを行う（ステップＳ１８）。
続いてコンテンツ再生部１０４は、サーチした番組の再生を行う（ステップＳ１９）。
【００６９】
より具体的には、コンテンツ再生部１０４は、コンテンツＤＢ１１０にアクセスして上記の再生開始位置からコンテンツデータを順次読み出し、読み出したコンテンツデータに含まれるビデオ信号に応じた映像をディスプレイ１４に表示させる。さらに、コンテンツ再生部１０４は、読み出したコンテンツデータに含まれるオーディオ信号に応じた音声をスピーカ１５に出力させる。
【００７０】
以上の説明のように、本実施形態によれば、ユーザの嗜好を反映したシーン検索用キーワードを自動的に提示することができるので、ユーザは、リモートコントロール装置を用いて煩雑なキーワード入力操作を行う必要が無い。
さらに提示されるキーワードは、ユーザの嗜好が反映されているので、キーワードの選択操作を行うだけで、より自己の嗜好に沿った再生させたいシーンを選択することができ、使い勝手が向上する。
【００７１】
以上の説明は、コンテンツ（番組）の再生に、ユーザの嗜好が反映された自動提示されたキーワードを用いるものであったが、同じキーワードをユーザの嗜好を反映したコンテンツ推薦機能あるいは自動録画機能に用いるようにすることも可能である。
【００７２】
ここで、コンテンツ推薦機能とは、ユーザがお気に入りのコンテンツ（番組）や、面白そうと興味をそそられるようなコンテンツを検索し、ユーザに推薦する機能である。
また自動録画機能とは、ＥＰＧ情報を参照して、ユーザが指定していないコンテンツ（番組）についても録画を行って録画漏れを回避する機能である。
【００７３】
図１１は、コンテンツ推薦機能及び自動録画機能を実現するための前処理の処理フローチャートである。
まずコンテンツ推薦機能及び自動録画機能が有効とされているとき、コンテンツ処理部１００は、ユーザが指定した時間帯において、ユーザが指定したチャンネルの番組のコンテンツデータをコンテンツＤＢ１１０に保存することとなるが、これと並行して所定のタイミング毎に図１１の処理を行う。
【００７４】
より詳細には、まず、キーワード選択履歴ＤＢ１１５を参照し（ステップＳ４１）、所定の閾値（例えば、１０回）を超える選択回数のキーワードがあるか否かを判別する（ステップＳ４２）。
【００７５】
ステップＳ４２の判別において、所定の閾値を超える選択回数のキーワードが無い場合には（ステップＳ４２；Ｎｏ）、処理を終了し、通常動作に移行する。
ステップＳ４２の判別において、所定の閾値を超える選択回数のキーワードがある場合には（ステップＳ４２；Ｙｅｓ）、当該キーワードをユーザへの推奨対象コンテンツを選択する際に用いるキーワード（推奨対象コンテンツ選択キーワード）として追加する（ステップＳ４３）。
【００７６】
したがって、キーワードの追加以降は、録画済みのコンテンツに対応するＥＰＧ情報から抽出したＥＰＧキーワードに推奨対象コンテンツ選択キーワードが含まれている場合に、当該録画済みのコンテンツをユーザに推奨コンテンツとして提示することとなる。
【００７７】
さらに所定の閾値を超える選択回数のキーワードがある場合には、ユーザが指定した条件（チャンネル、時間帯等）以外のコンテンツであっても、当該キーワードを含むコンテンツを自動録画対象に設定する（ステップＳ４４）。
【００７８】
したがって、自動録画対象に設定された以降は、ユーザの嗜好に沿ったコンテンツが自動的に録画され、ユーザ録画ＤＢ１１６に追加されるようになるので、ユーザにとっては、嗜好性の高いコンテンツの視聴が行えるとともに、録画漏れを極力回避することが可能となる。
【００７９】
以上説明した本実施形態においては、コンテンツ（番組）を視聴するにあたり、ユーザはキーワードリスト１５０に配置されたキーワードを選択することによって、容易に好みに応じた番組或いは番組のシーンを検索することができる。さらに、キーワードリスト１５０に配置されるキーワードは、ユーザが視聴中の番組の字幕或いは電子番組情報から抽出されるキーワードであるため、ユーザの嗜好を反映することができる。
【００８０】
本実施形態においては、ユーザが以前シーン検索のキーワードとして選択したキーワードの履歴に基づいてユーザに提示するキーワードが絞り込まれて、ユーザが視聴中の番組に関連するキーワードを配列したキーワードリスト１５０は、ユーザの嗜好をより的確に反映したキーワードを提示することができる。
【００８１】
（変形例）
上記実施形態に関するいくつかの変形例を挙げる。
上記実施形態においては、ユーザが現在（＝第１時間）視聴しているコンテンツの一部（基準時刻に対応する所定の時間帯；第１部分）に対応する第１キーワードを抽出してキーワードリストとして表示していたが、ユーザが第１時間とは異なる第２時間（例えば、先週、前日等の基準時刻に対応する所定の時間帯；第２部分）に視聴中のコンテンツの第２部分に対応する複数のキーワードから、ユーザが視聴又は録画したコンテンツに対応する情報を用いて、ユーザに提示する複数の第２キーワードを抽出し、ディスプレイ１４に複数の第１キーワードと、複数の第２キーワードとを、同時にキーワードリスト群として表示するように構成することも可能である。
【００８２】
上記実施形態においては、電子機器の一例である映像情報記録再生装置について述べた。しかしながら、上記実施形態にて開示した映像情報記録再生装置に関する構成は、パーソナルコンピュータ、スマートフォン、タブレット等のコンテンツを視聴可能な他種の電子機器に適用することもできる。
【００８３】
上記実施形態においては、各データベース（ＤＢ）の構築、表示優先度の算出、キーワード抽出処理等を電子機器単体で行うような構成を採っていたが、ネットワークを介して電子機器に通信可能に接続されたサーバ（クラウドサーバを含む）により負荷の大きな処理を行うように構成することも可能である。
【００８４】
上記実施形態においては、ディジタル放送される番組の視聴や記録を処理の対象とした。しかしながら、映像情報記録再生装置による処理の対象は、アナログ放送される番組、光ディスクメディア等に記録された動画、或いはネットワークを介してダウンロードされる動画等の他種のコンテンツを含んでもよい。
【００８５】
上記実施形態においては、キーワード抽出やシーン検索に用いる字幕の一例として、クローズドキャプションを対象とした処理を説明した。しかしながら、キーワード抽出やシーン検索に用いる字幕は、映像と一体化した所謂オープンキャプションを含んでもよい。この場合、映像情報記録再生装置にオープンキャプションからの文字認識を実行する機能を設け、以下同様に処理するようにすればよい。
【００８６】
上記実施形態においては、映像情報記録再生装置は、ハードディスクドライブ１及びメディアドライブ２の双方を備える構成を採っていたが、ハードディスクドライブ１及びメディアドライブ２の何れか一方のみを備えてもよいし、これらに加えて、あるいはこれらの代わりに半導体メモリからなる記憶媒体等を備えてもよい。
【００８７】
上記実施形態においては、ＡＶ入力部５及びＴＶチューナ６から入力される信号がディジタルである場合を例示していたが、各信号はアナログであってもよい。各信号がアナログである場合、当該信号をディジタル信号に変換するためのＡ／Ｄコンバータをエンコーダ７等に設ければよい。
【００８８】
上記実施形態においては、コンテンツＤＢ１１０、字幕ＤＢ１１１、字幕キーワードＤＢ１１２、ＥＰＧ  ＤＢ１１３、ＥＰＧキーワードＤＢ１１４及びキーワード選択履歴ＤＢ１１５は、ハードディスクドライブ１に記憶されていたが、メディアドライブ２がデータを書き込み及び読み出し可能な光ディスクメディアに記憶するようにしてもよい。また、コンテンツＤＢ１１０、字幕ＤＢ１１１、字幕キーワードＤＢ１１２、ＥＰＧ  ＤＢ１１３、ＥＰＧキーワードＤＢ１１４及びキーワード選択履歴ＤＢ１１５は、専用のプロセッサ、ハードウェアモジュールにより、構成されてもよい。
【００８９】
映像情報記録再生装置等のコンピュータを、コンテンツ処理部１００、字幕処理部１０１、ＥＰＧ処理部１０２、放送波処理部１０３、コンテンツ再生部１０４、キーワードリスト処理部１０６、シーンリスト処理部１０７、及び、ＯＳＤ制御部１０８等として機能させるためのコンピュータプログラムは、コンピュータに予めインストールされた状態で譲渡されてもよいし、コンピュータ読取可能な記録媒体に記録された状態で譲渡されてもよい。また、このコンピュータプログラムは、ネットワークを介してコンピュータにダウンロードされてもよい。
【００９０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９１】
１      ハードディスクドライブ
２      メディアドライブ
３      データプロセッサ
４      メモリ
５      ＡＶ入力部
６      ＴＶチューナ
７      エンコーダ
８      フォーマッタ
９      デコーダ
１０    Ｖミキサ
１１    セレクタ
１２    Ｄ／Ａコンバータ
１３    Ｄ／Ａコンバータ
１４    ディスプレイ
１５    スピーカ
１６    信号受信部
１７    キー入力部
１８    マイクロコンピュータ
１９    リモートコントロール装置
１００  コンテンツ処理部
１０１  字幕処理部
１０２  ＥＰＧ処理部
１０３  放送波処理部
１０４  コンテンツ再生部
１０５  キーワード抽出処理部（抽出部）
１０６  キーワードリスト処理部（処理部）
１０７  シーンリスト処理部（処理部）
１０８  ＯＳＤ制御部
１１０  コンテンツＤＢ
１１１  字幕ＤＢ
１１２  字幕キーワードＤＢ
１１４  ＥＰＧキーワードＤＢ
１１５  キーワード選択履歴ＤＢ
１１６  ユーザ録画ＤＢ
１１７  キーワードＤＢ
１５０  キーワードリスト
１５１  シーンリスト
ＫＷ１〜ＫＷ４  検索キーワード（選択対象キーワード）
Ｘ      映像情報記録再生装置
【図１】
2016012894.tif 000003
【図２】
2016012894.tif 000004
【図３】
2016012894.tif 000005
【図４】
2016012894.tif 000006
【図５】
2016012894.tif 000007
【図６】
2016012894.tif 000008
【図７】
2016012894.tif 000009
【図８】
2016012894.tif 000010
【図９】
2016012894.tif 000011
【図１０】
2016012894.tif 000012
【図１１】
2016012894.tif 000013